(57)【特許請求の範囲】
【請求項１】
マスタ情報ブロックと、システム情報の少なくとも１つの追加ブロックのタイミングに関する第１および第２のスケジューリング情報を含む第１および第２のシステム情報ブロックを送信するワイヤレス電気通信システムにおいて端末デバイスを動作させる方法であって、
前記端末デバイスで、前記第１のスケジューリング情報を無視して、前記第２のスケジューリング情報だけを受信するように前記端末デバイスに教示するマーカを含むシステム情報のマスタ情報ブロックを受信することを含み、
前記第２のスケジューリング情報は、前記第１のスケジューリング情報に示される時間においてシステム情報の少なくとも１つの追加ブロックを受信することを教示する
方法。
【請求項２】
請求項１に記載の方法であって、
前記第２のスケジューリング情報は、前記第１のスケジューリング情報に示される第１の時間においてシステム情報のブロックの一部を受信し、第２の時間においてシステム情報のブロックの第２の一部を受信することを教示する
方法。
【請求項３】
請求項１に記載の方法であって、
前記第２のスケジューリング情報は、システム情報の１つのブロックの少なくとも一部分を、予め定義されたデフォルト情報に置換することを教示する
方法。
【請求項４】
マスタ情報ブロックと、システム情報の少なくとも１つの追加ブロックのタイミングに関する第１および第２のスケジューリング情報を有する第１および第２のシステム情報ブロックを送信するワイヤレス電気通信システムに使用される端末デバイスであって、
コントローラユニットと送受信機ユニットを含み、
前記コントローラユニットは、マーカを含むシステム情報のマスタ情報ブロックを受信するように前記送受信機ユニットをコントロールするように構成され、マーカの存在下で、前記コントローラユニットは、前記第１のスケジューリング情報を無視して、前記第２のスケジューリングだけを受信するように前記送受信機ユニットをコントロールするように構成され、
前記第２のスケジューリング情報は、前記第１のスケジューリング情報に示される時間においてシステム情報の少なくとも１つの追加ブロックを受信する教示を含む
端末デバイス。
【請求項５】
請求項４に記載の端末デバイスであって、
前記第２のスケジューリング情報は、前記第１のスケジューリング情報に示される第１の時間においてシステム情報のブロックの一部を受信し、第２の時間においてシステム情報のブロックの第２の一部を受信することを教示する
端末デバイス。
【請求項６】
請求項４に記載の端末デバイスであって、
前記第２のスケジューリング情報は、システム情報の１つのブロックの少なくとも一部分を、予め定義されたデフォルト情報に置換することの教示を含む
端末デバイス。
【発明の詳細な説明】
【技術分野】
【０００１】
本開示は、電気通信の装置及び方法に関する。
【背景技術】
【０００２】
ここに提供される「背景技術」の説明は、この開示の文脈を概括的に提示することを目的とする。目下列挙されている発明者らの成果であって、この背景技術の章に記載される限りの成果、及び、出願時点に先行技術としての別段の資格を有していないことがあり得る説明の態様は、本発明に対する先行技術としては明示的にも暗黙的にも認められない。
【０００３】
本開示は、ワイヤレス電気通信のシステム及び方法に関する。
【０００４】
モバイル通信システムは、過去ほぼ１０年にわたり、ＧＳＭシステム（Global  System  for  Mobile  communications)から３Ｇシステムへと進化し、今では、パケットデータ通信及び回線交換通信を含んでいる。３ＧＰＰ（the  third  generation  partnership  project）は、ＬＴＥ（Long  Term  Evolution）と称される第４世代モバイル通信システムを開発しており、このＬＴＥでは、コアネットワーク部分を進化させて、より早期のモバイル無線ネットワークアーキテクチャのコンポーネントと、ダウンリンク上では直交周波数分割多重（ＯＦＤＭ）に基づき、アップリンク上ではシングルキャリア周波数分割多元接続（ＳＣ−ＦＤＭＡ）に基づく、無線アクセスインタフェースと、の統合に基づいた、より簡素化されたアーキテクチャを形成している。
【０００５】
３ＧＰＰが定義するＵＭＴＳ及びＬＴＥ（Long  Term  Evolution）のアーキテクチャに基づいたものといった、第３及び第４世代のモバイル電気通信システムは、前世代のモバイル電気通信システムによって提供される簡素な音声及びメッセージングのサービスよりも高度化された範囲のサービスをサポートすることが可能である。
【０００６】
例えば、ＬＴＥシステムによって無線インタフェースの改善及びデータレートの向上が提供されている状態において、ユーザは、以前なら固定回線データ接続を介してのみ利用可能だったであろう、モバイルビデオストリーミング及びモバイルビデオ会議といった高データレートの用途を享受することが可能である。したがって、第３及び第４世代のネットワークの配備に対する需要が強く、これらのネットワークのカバレージエリア、即ち、これらのネットワークへのアクセスが可能な地理的ロケーション、の迅速な増大が期待されている。
【０００７】
第３及び第４世代のネットワークの、予期された広範にわたる配備により、或る類のデバイス及び用途が並行して開発されるに至った。当該デバイス及び用途は、利用可能な高データレートを利用するよりもむしろ、ロバストな無線インタフェースと、カバレージエリアの遍在性の増大とを利用する。例には、いわゆるマシンタイプ通信（ＭＴＣ）の用途が含まれ、これらの幾つかは、幾つかの点において、相対的に低頻度で少量のデータを通信する半自律又は自律のワイヤレス通信デバイス（ＭＴＣデバイス）に代表される。例には、例えば、顧客の家庭に位置付けられて、顧客によるガス、水道、電気などといったユーティリティの消費に関するデータを中央ＭＴＣサーバに定期的に返信する、いわゆるスマートメータが含まれる。スマート計量は、潜在的なＭＴＣデバイスの用途の単なる１つの例に過ぎない。ＭＴＣタイプのデバイスの特徴についてのさらなる情報は、例えば、ＥＴＳＩ  ＴＳ  １２２  ３６８  Ｖ１１．６．０（２０１２−０９）／３ＧＰＰ  ＴＳ  ２２．３６８  バージョン１１．６．０  リリース１１）［１］といった、対応する標準において見出すことができる。
【０００８】
ＭＴＣタイプの端末といった端末が、第３又は第４世代のモバイル電気通信ネットワークにより提供される広いカバレージエリアを利用することは便利であり得るが、現在、不利な点が存在する。ＭＴＣタイプの端末用のプライマリドライバは、このような端末が、スマートフォンといった従来の第３又は第４世代のモバイル端末とは異なり、相対的に簡素であり安価であることを所望する。ＭＴＣタイプの端末により典型的に実施される機能のタイプ（例えば、相対的に少量のデータの簡単な収集及び報告／受信）は、例えば、スマートフォンがサポートするビデオストリーミングに比べると、特に複雑な処理の実施を必要としない。しかしながら、第３及び第４世代のモバイル電気通信ネットワークは、典型的には、高度なデータ変調技法を利用し、より複雑であって高価な無線送受信機及び復号器の実装を必要とし得る無線インタフェース上で広帯域幅の使用をサポートする。スマートフォンが、典型的には、強力なプロセッサによる典型的なスマートフォンタイプの機能の実施を必要とするため、このように複雑な要素をスマートフォン内に含めることは、通常、妥当とされる。しかしながら、今では、上に示すように、ＬＴＥタイプのネットワークを使用した通信がなお可能な、比較的安価であって複雑ではないデバイスの使用が所望されている。
【０００９】
このことに留意して、例えば、ＧＢ  ２  ４８７  ９０６［２］、ＧＢ  ２  ４８７  ９０８［３］、ＧＢ  ２  ４８７  ７８０［４］、ＧＢ  ２  ４８８  ５１３［５］、ＧＢ  ２  ４８７  ７５７［６］、ＧＢ  ２  ４８７  ９０９［７］、ＧＢ  ２  ４８７  ９０７［８］、及びＧＢ  ２  ４８７  ７８２［９］に記載されるように、「ホストキャリア」の帯域幅内で動作する、いわゆる「仮想キャリア」の概念が提案されている。この、仮想キャリアの概念の根底にある１つの原理は、より広い帯域幅の（より大きな範囲の周波数リソースの）ホストキャリア内の周波数サブ領域（周波数リソースのサブセット）が、或るタイプの端末デバイスとの少なくとも幾つかのタイプの通信のための独立キャリアとしての使用のために構成される、というものである。
【００１０】
引例［２］から［９］に記載されるものといった幾つかの実装例では、仮想キャリアを使用する端末デバイスについての全てのダウンリンク制御シグナリング及びユーザプレーンデータが、仮想キャリアに関連付けられる周波数リソースのサブセット内で搬送される。仮想キャリア上で動作する端末デバイスは、限られた周波数リソースに気付くように仕向けられ、基地局からデータを受信するために、送信リソースの、対応するサブセットの受信及び復号を行いさえすればよい。このアプローチの利点は、相対的に狭い帯域幅のみを通じて動作することが可能な低ケイパビリティの端末デバイスにより使用されるためのキャリアを提供することである。これにより、デバイスは、全帯域幅の動作のサポートを求められることなく、ＬＴＥタイプのネットワーク上で通信することが可能となる。復号される必要のある信号の帯域幅を縮小することにより、仮想キャリア上で動作するように構成されるデバイスのフロントエンド処理要件（例えば、ＦＦＴ、チャネル推定、サブフレームバッファリングなど）が縮小される。その理由は、これらの機能の複雑性が、一般に、受信信号の帯域幅に関連するためである。
【００１１】
ＬＴＥタイプのネットワークを通じて通信するように構成されるデバイスの、必要とされる複雑性を低減するための他の仮想キャリアのアプローチが、ＧＢ  ２  ４９７  ７４３［１０］及びＧＢ  ２  ４９７  ７４２［１１］に提案されている。これらの文献は、基地局と低減ケイパビリティ端末デバイスとの間でデータを通信するためのスキームを提案しており、それにより、低減ケイパビリティ端末デバイスについての物理レイヤ制御情報は、（従来のＬＴＥ端末デバイスに関する）全ホストキャリア周波数帯域の全体から選択されるサブキャリアを使用して、基地局から送信される。しかしながら、低減ケイパビリティ端末デバイスについての上位レイヤデータ（例えばユーザプレーンデータ）は、システム周波数帯域を含むサブキャリアのセットよりも小さく、且つ当該セット以内である、キャリアの限られたサブセット内から選択されるサブキャリアのみを使用して、送信される。よって、これは、特定の端末デバイスについてのユーザプレーンデータが周波数リソースのサブセット（即ち、ホストキャリアの送信リソース内でサポートされる仮想キャリア）に限られ得るのに対し、制御シグナリングがホストキャリアの全帯域幅を使用して通信される、アプローチである。端末デバイスは、限られた周波数リソースに気付くように仕向けられ、それにより、上位レイヤデータが送信されているピリオド中においては、この周波数リソース内でデータのバッファリング及び処理を行いさえすればよい。端末デバイスは、物理レイヤ制御情報が送信されているピリオド中においては、全システム周波数帯域のバッファリング及び処理を行う。よって、低減ケイパビリティ端末デバイスは、物理レイヤ制御情報が広い周波数範囲を通じて送信されるものの、上位レイヤデータについては、より小さな範囲の周波数リソースを処理するのに充分なメモリ及び処理機能を有しさえすればよいネットワークに組み込まれ得る。このアプローチは、時として、「Ｔ字型」割り当てと称され得るが、その理由は、低減ケイパビリティ端末デバイスにより使用されるダウンリンク時間−周波数リソースグリッドのエリアが、幾つかのケースにおいて、ほぼＴ字型を含み得るためである。
【００１２】
よって、仮想キャリアの概念により、低減されたケイパビリティを有する端末デバイスは、例えばそれらの送受信機帯域幅及び／又は処理パワーの観点において、ＬＴＥタイプのネットワーク内でサポートされることが可能となる。上で注記したように、このことは、相対的に安価であって複雑性の低いデバイスが、ＬＴＥタイプのネットワークを使用して通信することを可能にするのに有用であり得る。しかしながら、一般に既存の標準に基づいたワイヤレス電気通信システムにおいて、低減ケイパビリティデバイスのためのサポートを提供することは、低減ケイパビリティ端末デバイスが従来の端末デバイスと共に動作することを可能にするために、ワイヤレス電気通信システムの幾つかの動作上の態様についての付加的な配慮を必要とし得る。
【００１３】
発明者らが新規の手続きに対する必要性を認識してきた１つのエリアは、システム情報の獲得に関する。大まかに概要を述べると、ＬＴＥベースの電気通信システムといった既存のワイヤレス電気通信システムにおける、システム情報、又は、システム情報の少なくとも幾つかの態様は、全ての端末デバイスについて、ブロードキャストの様式で送信される。新規のシステム情報を得ることが求められる、１．４ＭＨｚの狭帯域ＲＦ帯域幅）を有するデバイスといった低減ケイパビリティデバイスは、特に、ＵＥがサポートするものよりも大きなトランスポートブロックサイズを使用して新規のシステム情報がブロードキャストされる場合に、又は、送信用に使用されるリソースがデバイスのＲＦ帯域幅よりも広がっている場合に、これらのブロードキャストを受信及び復号しなければならない。幾つかの例では、低減ケイパビリティデバイスが、このシステム情報を搬送するために使用される、より大きなシステム情報ブロック（ＳＩＢ）の幾つかを受信できない恐れがある。同様に、カバレージ拡張の文脈においては、（低減ケイパビリティか否かに関わらず）端末デバイスによる大きなＳＩＢの受信が、時として難しくなる。したがって、ワイヤレス電気通信システムでは、限られた周波数リソース上で動作する端末デバイスに対するシステム情報の通信を可能にするスキームが、必要とされる。また、カバレージ拡張状況において動作する端末デバイスに対するシステム情報の通信を可能にするスキームも、必要とされる。
【発明の概要】
【発明が解決しようとする課題】
【００１４】
１つの実施形態によると、ワイヤレス電気通信システムにおいて端末デバイスを動作させる方法が提供される。当該方法は、当該端末デバイスにおいて、システム情報の複数のブロックの少なくとも１つを所定の時間において受信することを含む。システム情報の当該ブロックは、ｉ）システム情報の少なくとも１つの付加的なブロックのタイミングに関する第１のスケジューリング情報と、ｉｉ）第２のスケジューリング情報の存在を示すマーカと、を含み、当該第２のスケジューリング情報は、システム情報の少なくとも１つのさらなるブロックの受信に関する命令を当該端末デバイスに提供する。
【図面の簡単な説明】
【００１５】
幾つかの図面全体にわたり、同じ参照番号が同一の又は対応する部分を指し示す添付の図面に関してこの開示を考察すると、以下の詳細な説明を参照することにより、この開示がより良好に理解されるのに伴い、この開示の、より完全な認識と、それに付随するこの開示の利点の多くとが、容易に得られるであろう。添付の図面は以下の図を含む。
【００１６】
【図１】図１は、ＬＴＥタイプのワイヤレス電気通信ネットワークの一例を概略的に表す。
【図２】図２は、ＬＴＥダウンリンク無線フレーム構造の幾つかの態様を概略的に表す。
【図３】図３は、ＬＴＥダウンリンク無線サブフレーム構造の幾つかの態様を概略的に表す。
【図４】図４は、仮想キャリアをサポートするホストキャリアに関連付けられるＬＴＥダウンリンク無線サブフレーム構造の幾つかの態様を概略的に表す。
【図５】図５は、仮想キャリアをサポートするホストキャリアについてのシステム情報修正ピリオド境界にまたがる一連の無線サブフレームの幾つかの態様を概略的に表す。
【図６】図６は、本原理による、スケジューリング情報を包含するシステム情報のブロックを、本開示の一例による、スケジューリング情報を包含するシステム情報のブロックと共に、概略的に表す。
【図７】図７は、図６によるシステム情報のブロックについてのタイミング図を示す。
【図８】図８は、図６のブロックを受信する例示的なＭＴＣデバイスについてのタイミング図を示す。
【図９】図９は、本開示の一例に従って配置される、適合されたＬＴＥタイプのワイヤレス電気通信システムを概略的に表す。
【発明を実施するための形態】
【００１７】
図１は、ＬＴＥ原理に従って動作するワイヤレス電気通信ネットワーク／システム１００の何らかの基本的な機能性を示す概略図を提供する。図１の種々の要素及びそれらのそれぞれの動作モードは、よく知られており、３ＧＰＰ（ＲＴＭ）機関により管理されている、関連する標準において定義されており、また、この主題に関する多くの書籍、例えば、Holma, H. and Toskala, A.［１２］においても記載されている。
【００１８】
ネットワーク１００は、コアネットワーク１０２に接続された複数の基地局１０１を含む。各基地局は、その内部で端末デバイス１０４への、及び端末デバイス１０４からのデータの通信が可能であるカバレージエリア１０３（即ちセル）を提供する。複数の基地局１０１から、それらのそれぞれのカバレージエリア１０３内の端末デバイス１０４に、無線ダウンリンクを介してデータが送信される。端末デバイス１０４から基地局１０１に、無線アップリンクを介してデータが送信される。コアネットワーク１０２は、それぞれの基地局１０１を介して端末デバイス１０４に、及び端末デバイス１０４から、データをルーティングし、認証、モビリティ管理、課金などといった機能を提供する。端末デバイスは、モバイル局、ユーザ機器（ＵＥ）、ユーザ端末、モバイル無線機などとも称され得る。基地局は、送受信局／ｎｏｄｅＢ／ｅ−ＮｏｄｅＢなどとも称され得る。
【００１９】
３ＧＰＰによって定義されるＬＴＥ（Long  Term  Evolution）アーキテクチャに従って配置されるものといったモバイル電気通信システムは、無線ダウンリンクについては直交周波数分割多重（ＯＦＤＭ）ベースのインタフェース（いわゆるＯＦＤＭＡ）を、無線アップリンクについてはシングルキャリア周波数分割多重ベースのインタフェース（いわゆるＳＣ−ＦＤＭＡ）を使用する。図２は、ＯＦＤＭベースのＬＴＥダウンリンク無線フレーム２０１を示す概略図を示す。ＬＴＥダウンリンク無線フレームは、ＬＴＥ基地局（拡張ノードＢとして知られている）から送信され、１０ｍｓ間継続する。ダウンリンク無線フレームは、１０個のサブフレームを含み、各サブフレームは、１ｍｓ間継続する。ＬＴＥフレームの第１及び第６のサブフレームにおいて、プライマリ同期信号（ＰＳＳ）及びセカンダリ同期信号（ＳＳＳ）が送信される。ＬＴＥフレームの第１のサブフレームにおいて、物理ブロードキャストチャネル（ＰＢＣＨ）が送信される。
【００２０】
図３は、例示的な従来のダウンリンクＬＴＥサブフレーム（この例では、図２のフレームにおける第１の、即ち、最も左のサブフレームに対応する）の構造を示すグリッドの概略図である。このサブフレームは、１ｍｓのピリオドにわたって送信される所定の数のシンボルを含む。各シンボルは、ダウンリンク無線キャリアの帯域幅全体に分散される所定の数の直交サブキャリアを含む。
【００２１】
図３に示される例示的なサブフレームは、１４個のシンボルと、２０ＭＨｚの帯域幅全体に広がる１２００個のサブキャリアとを含む。ＬＴＥにおける送信についてのユーザデータの最小の割り当てが、１個のスロット（０．５サブフレーム）を通じて送信される１２個のサブキャリアを含むリソースブロックである。図３では、明瞭にするために、個々のリソースエレメント（１つのリソースエレメントは、単一のサブキャリア上の単一のシンボルを含む）の各々が示されておらず、その代わりに、サブフレームグリッド内の個々のボックスの各々が、１つのシンボル上で送信される１２個のサブキャリアに対応する。
【００２２】
図３は、４個のＬＴＥ端末についてのリソース割り当て３４０、３４１、３４２、及び３４３を示す。例えば、第１のＬＴＥ端末（ＵＥ１）についてのリソース割り当て３４２は、１２個のサブキャリアの５個のブロック（即ち、６０個のサブキャリア）にわたって延在し、第２のＬＴＥ端末（ＵＥ２）についてのリソース割り当て３４３は、１２個のサブキャリアの６個のブロックにわたって延在し、以下同様である。
【００２３】
サブフレームの最初のｎ個のシンボルを含む、サブフレームの制御領域３００（図３では、点描による陰影付けによって示す）においては、制御チャネルデータが送信され、ここでｎは、３ＭＨｚ以上のチャネル帯域幅については１シンボルから３シンボルの間で変動することが可能であり、１．４ＭＨｚのチャネル帯域幅については２シンボルから４シンボルの間で変動することが可能である。具体的な例を提供するために、以下の説明は、３ＭＨｚ以上のチャネル帯域幅を有するキャリアに関し、それによってｎの最大値は３となる。制御領域３００において送信されるデータは、物理ダウンリンク制御チャネル（ＰＤＣＣＨ）、物理制御フォーマットインジケータチャネル（ＰＣＦＩＣＨ）、及び物理ＨＡＲＱインジケータチャネル（ＰＨＩＣＨ）上で送信されるデータを含む。
【００２４】
ＰＤＣＣＨは、サブフレームのどのシンボル上のどのサブキャリアが特定のＬＴＥ端末に割り当てられたかを示す制御データを包含する。よって、図３に示されるサブフレームの制御領域３００内で送信されるＰＤＣＣＨデータは、参照番号３４２によって識別されるリソースのブロックがＵＥ１に割り当てられていること、参照番号３４３によって識別されるリソースのブロックがＵＥ２に割り当てられていること、以下同様、を示すであろう。
【００２５】
ＰＣＦＩＣＨは、制御領域のサイズ（即ち、１シンボルから３シンボルの間）を示す制御データを包含する。
【００２６】
ＰＨＩＣＨは、以前に送信されたアップリンクデータがネットワークによって成功裏に受信されたか否かを示すＨＡＲＱ（Hybrid  Automatic  Request）データを包含する。
【００２７】
時間−周波数リソースグリッドの中央帯域３１０内のシンボルは、プライマリ同期信号（ＰＳＳ）、セカンダリ同期信号（ＳＳＳ）、及び物理ブロードキャストチャネル（ＰＢＣＨ）を含む情報の送信用に使用される。この中央帯域３１０は、典型的には、７２個のサブキャリアの幅を有する（１．０８ＭＨｚの送信帯域幅に対応する）。ＰＳＳ及びＳＳＳは、一旦検出されると、ＬＴＥ端末デバイスによる、フレーム同期の達成と、ダウンリンク信号を送信する拡張ノードＢのセルＩＤの判定と、を可能にする同期信号である。ＰＢＣＨは、セルについての情報を搬送し、当該情報は、ＬＴＥ端末がセルに適切にアクセスするために使用するパラメータを含むマスタ情報ブロック（ＭＩＢ）を含む。物理ダウンリンク共有チャネル（ＰＤＳＣＨ）上で個々のＬＴＥ端末に送信されるデータは、サブフレームの他のリソースエレメントにおいて送信されることが可能である。
【００２８】
図３は、システム情報を包含し、Ｒ３４４の帯域幅にわたって延在する、ＰＤＳＣＨの領域も示す。
【００２９】
従来のＬＴＥフレームは、明瞭にするために図３では示されていないリファレンス信号も含む。
【００３０】
図４は、図３に類似しており、図３から多くの点において理解されるであろう図である。しかしながら、図４は、仮想キャリア４０１（ＶＣ）がサポートされているホストキャリアに対応するダウンリンク無線サブフレームを概略的に表している点において、図３とは異なる。図４に表される仮想キャリアの一般的な動作は、例えば、上で特定した文献［２］から［１１］のいずれかに記載されるような、以前に提案されたスキームに従い得る。よって、仮想キャリアは、或るタイプの端末デバイス、例えば、低減ケイパビリティマシンタイプ通信端末デバイスと、少なくとも何らかの情報を通信するために使用され得るホストキャリアに関連付けられる送信リソースグリッド全体内のダウンリンク送信リソースの、限られたサブセットを表す。
【００３１】
よって、従来の（即ち、非低減ケイパビリティ）端末デバイスは、従来のＬＴＥ技法に従って図４に表されるリソースグリッドの全帯域幅を使用してサポートされ得る。その一方で、低減ケイパビリティ端末デバイス用のダウンリンク通信は、仮想キャリア内の送信リソースのサブセットに限られ得る。
【００３２】
幾つかのケースにおいて、低減ケイパビリティ端末デバイス用のダウンリンク通信の全て（即ち、制御シグナリング及び上位レイヤ／ユーザプレーンデータを含む）は、例えば、上で特定した文献［２］から［９］で提案された原理に従って、仮想キャリアのうちの１つの送信リソース内で搬送され得る。このことは、例えば、ホストキャリアの全帯域幅を受信することができない（よって、制御領域３００の全てを受信することができない）端末デバイスにとっては相応しいことがあり得る。
【００３３】
他のケースにおいて、低減ケイパビリティ端末デバイスは、ホストキャリアの全帯域幅の受信（よって、制御領域３００の受信及び復号）が可能であり得るが、その、ＰＤＳＣＨ領域の全てのバッファリング及び復号を行う能力に関して限られていることがあり得、そのため、例えば、上で特定した文献［１０］及び［１１］において提案された「Ｔ字型割り当て」原理に従って当該端末デバイスに割り当てられた仮想キャリアに及ぶ、ダウンリンク送信リソースのサブセットのみのバッファリング及び復号を行い得る。参照を容易にするために、この動作モードは「Ｔ字型割り当て」動作モードと称され得るが、低減ケイパビリティ端末デバイスに割り当てられるＰＤＳＣＨリソースは、周波数において連続している必要はない。つまり、図４に概略的に表される仮想キャリアリソースは、連なったブロックとして示されているが、幾つかの例では、リソースの限られたサブセットが、システム帯域幅全体に分散された（広がった）ＯＦＤＭキャリアのサブセットであってよい。さらに、１つの特定の端末デバイス用の仮想キャリアを含むＯＦＤＭサブキャリアのサブセットが、別の端末デバイス用の仮想キャリア動作をサポートすることに関連付けられるＯＦＤＭサブキャリアのサブセットとは異なり得ることが、認識されるであろう。
【００３４】
上で注記したように、仮想キャリア動作は、システム情報の変更が、低減ケイパビリティ端末デバイスによっていかに受信され得るかに影響を与え得る。
【００３５】
ＬＴＥベースのワイヤレス電気通信システムにおいて、端末デバイスがセル内で動作するのに必要とされる基礎的情報の何らかは、ＰＢＣＨ上において、マスタ情報ブロック（ＭＩＢ）内で送信される。システム構成に関する他の情報は、ＳＩＢ１、ＳＩＢ２、ＳＩＢ３、…などと称されるシステム情報ブロック（ＳＩＢ）（リリース１１  ＬＴＥの時点において、１６個のＳＩＢが定義されている）間で分割される。ＳＩＢは、システム情報（ＳＩ）メッセージにおいて送信され、当該ＳＩメッセージは、ＳＩＢ１以外に複数のＳＩＢを包含し得る。異なる周期性で送信される１つ又は幾つかのＳＩメッセージが存在し得る。各ＳＩメッセージは、同じ周期性でのスケジューリングに適した複数のＳＩＢを搬送し得る。ＳＩＢ１送信のためのタイミングは、８０ｍｓのピリオドに固定されており、システムフレーム番号（ＳＦＮ）が８の倍数（即ち、SFN mod 8=0）である場合、無線フレームの第５のサブフレームにおいて生じる。１つおきの無線フレームに、８０ｍｓのピリオド以内において、ＳＩＢ１の再送信が提供される。ＳＩＢ１においては、他のＳＩＢ送信のためのタイミングが構成される。サブフレーム内のＰＤＳＣＨ上のＳＩメッセージについての送信リソース割り当ては、ＳＩ−ＲＮＴＩ（System  Information  Radio  Network  Temporary  Identifier−現在、ＬＴＥにおいては０ｘＦＦＦＦ）にアドレス指定されるＰＤＣＣＨ割り当てメッセージを使用して、端末デバイスに提供される。上位レイヤにおいて、ＳＩは、ロジカルブロードキャスト制御チャネル（ＢＣＣＨ）上で搬送される。
【００３６】
セル内のシステム情報は変更され得るが、このことは典型的に、おそらくは数時間、数日間、又は数週間さえも変更されないままであるシステム情報では、ほとんど生じない。
【００３７】
ＥＡＢ（Extended  Access  Barring）、ＥＴＷＳ（Earthquake  Tsunami  Warning  System）、及びＣＭＡＳ（Commercial  Mobile  Alert  System）に関するもの以外のシステム情報の変更については、ＢＣＣＨ修正ピリオドが定義される（これは、「ＳＩ修正ピリオド」と称され得る）。ＳＩ修正ピリオド境界は、セル固有のｑという値について、SFN mod q=0である無線フレーム上で規定され得る。システム情報に変更が存在する場合、新規のＳＩ修正ピリオドの開始から、新規のシステム情報が送信される。
【００３８】
ＬＴＥベースのネットワークにおいて、システム情報におけるスケジューリングを実装するための一般的な処理については、例えば、ＥＴＳＩ  ＴＳ  １３６  ３３１  Ｖ１１．４．０（２０１３−０７）のセクション５．２．１．２／３ＧＰＰ  ＴＳ  ３６．３３１  バージョン１１．４．０  リリース１１［１３］に記載されている。要約すると、基地局は、システム情報の変更を以下のように示す。
【００３９】
ＬＴＥベースのシステムにおける、システム情報と、システム情報におけるスケジューリングと、についての一層の詳細は、ＥＴＳＩ  ＴＳ  １３６  ３３１  Ｖ１１．４．０（２０１３−０７）／３ＧＰＰ  ＴＳ  ３６．３３１  バージョン１１．４．０  リリース１１［１３］において見出すことができる。
【００４０】
上で論じたように、或るタイプの端末デバイスが、それを通じて動作するベースバンド帯域幅を縮小することにより、ＬＴＥモデムの複雑性を低減することが提案されてきた。特に、端末デバイスが、それを通じて（即ち、Ｔ字型割り当て仮想キャリア技法を使用して）ＰＤＳＣＨを受信し得る、少なくともベースバンド帯域幅の縮小が望ましいことがあり得る。このことは、サブフレームバッファリング、ポストＦＦＴバッファリング、チャネル推定、及びターボ復号の複雑性を下げる利点を有し得、複雑性がより低くなることにより、モデムのコストがより低くなることに加え、動作上の電力消費が低減する機会が生じる。複雑性の低いモデムは特に、マシンタイプ通信（ＭＴＣ）端末デバイスで使用するのに魅力的である。
【００４１】
このような低減ケイパビリティ端末デバイスは、例えば、ｎ個の物理リソースブロック（ＰＲＢ）、例えばベースバンドにおいて１０ＭＨｚのシステム帯域幅についてn=50のＰＲＢ、に及ぶ全システム帯域幅全体においてＰＤＣＣＨを受信するように適合され得る。しかしながら、端末デバイスは、最大でｍ個のＰＲＢにおいてＰＤＳＣＨを受信するように適合され得、ここでｍは、ｎ未満である。例えばm=6であり、これは、ＰＤＳＣＨについてベースバンドにおいて１．４ＭＨｚの実効帯域幅に対応する。
【００４２】
ＵＥが、どのｍ個のＰＤＳＣＨ  ＰＲＢを、復号する必要がある前にバッファリングしなければならないのかについての標識が、当該ＵＥに与えられる場合、バッファリング要件を縮小させることができ、それにより、５０個のＰＲＢの代わりに６個のＰＲＢに適したバッファを提供することができる。ＲＦ帯域幅は変更されないため、これらの６個のＰＤＳＣＨ  ＰＲＢは、システム帯域幅内のどこかに存在することが可能であり、一般に、１サブフレーム当たりの周波数において、連続又は非連続であり得る。ＰＤＳＣＨ復号が生じるサブフレームにおいて、ＰＤＣＣＨは、６個のＰＲＢの、いずれかのサブセット又は全部をスケジューリングすることができるが、その理由は、６個全てがＵＥによりバッファリングされているためである。端末デバイスにおいて、バッファリングを行うためにＰＤＳＣＨリソースの所定のサブセットを確立するための幾つかの例示的な技法は、ＧＢ  ２  ４９７  ７４３［１０］及びＧＢ  ２  ４９７  ７４２［１１］において見出すことができるが、一般には、あらゆる適切な技法を使用することが可能である。
【００４３】
低減ケイパビリティ端末デバイスが所与のサブフレーム内でＰＤＳＣＨを受信することのできる、送信リソースの限られたサブセットは、システム情報メッセージがワイヤレス電気通信システムにおいていかに取り扱われるべきかに影響を及ぼす。システム情報の変更を示すためのＳＩ−ＲＮＴＩへのＰＤＣＣＨリソース割り当ては、ＰＤＣＣＨ共通サーチスペース内で送信され、したがって、全ての端末デバイスは、（少なくとも、全ての端末デバイスについて関連するシステム情報について）同じＰＤＳＣＨリソースを使用して、関連するＳＩＢを受信する。ＳＩＢは、低減ケイパビリティ端末デバイスによって受信可能となるために、当該低減ケイパビリティ端末デバイスが関連するサブフレーム内においてバッファリングするであろう物理リソースブロック上で、スケジューリングされるべきである。さらに、これは、限られた数のＰＲＢであり、例えば、ＳＩＢがｍ個の（例えばm=6）のＰＲＢ内で送信されることを求める。
【００４４】
しかしながら、基地局は、低減ケイパビリティ（複雑性の低い）端末デバイスのためのＰＤＳＣＨリソースの限られたサブセットを使用して、当該端末デバイスにユーザデータを送信する必要もある。ネットワーク内でサポートされることが可能な低減ケイパビリティ端末デバイスの数の増大と、スケジューリング全体の柔軟性の増大とを助けるために、送信リソースの、異なる限られたサブセットを使用して、異なる低減ケイパビリティ端末デバイスが動作することができれば、役立ち得る。このことは、異なる端末デバイスが、それ自体のユーザデータを受信するためにバッファリングするＰＤＳＣＨリソースブロックが、一般には、システム情報（ＳＩＢ）が送信される同じリソースブロックではないことを意味する。仮想キャリア動作について以前に提案されたスキームは、端末デバイスがネットワークにアタッチする際に、所与のサブフレーム内においてＰＤＳＣＨリソースの限られたサブセットのみを復号する当該端末デバイスの能力にも関わらず、システム情報をいかに獲得し得るかに対処してきた。しかしながら、低減ケイパビリティ端末デバイスがネットワークに（例えばＲＲＣ接続モードにおいて）接続されている間に、例えばシステム情報の変更によ新規のシステム情報を獲得し得るときに、異なる技法が必要とされ得る。
【００４５】
図５は、低減ケイパビリティ端末デバイスが、ＰＤＣＣＨリソースの全帯域幅を受信することが可能でありながらＰＤＳＣＨリソースのサブセットをバッファリングすることに限定される、仮想キャリア動作モードをサポートするＬＴＥベースのワイヤレス電気通信システムについて、ＳＦｎ、ＳＦｎ＋１、ＳＦｎ＋２及びＳＦｎ＋３と表記される４個のサブフレームに及ぶダウンリンク周波数リソースグリッドを概略的に表す。上記のように、各サブフレームは、ＰＤＣＣＨ領域５６０及びＰＤＳＣＨ領域５６２を含む。サブフレームＳＦｎ＋１及びＳＦｎ＋２は、図面で概略的に表されるように、システム情報修正ピリオド境界５６４にまたがるものと想定される。各サブフレームのＰＤＳＣＨ領域内で概略的に表されるのは、例示的な低減ケイパビリティ端末デバイスが、ユーザプレーンデータを受信しているならば使用するであろう、送信リソース５６６のサブセットの標識である。これらは、低減ケイパビリティ端末デバイス用の専用物理リソースブロックと称され得る。同じく各サブフレームのＰＤＳＣＨ領域内で概略的に表されるのは、基地局が、関連するサブフレーム内でシステム情報ブロックを送信しているならば使用するであろう、送信リソース５６８の標識である。これらは、ＳＩＢ物理リソースブロックと称され得る。認識されるであろう点は、送信リソース５６６及び５６８のそれぞれのセットが、純粋に表現を容易にするために、各サブフレーム内の同じ場所に生じている連続したブロックとして示されているという点である。実際には、低減ケイパビリティ端末デバイス用の専用ＰＲＢを含むリソース５６６は、連続していないかもしれず、それらの位置及び周波数は、異なるサブフレームにおいて変化し得る。ＳＩＢ  ＰＲＢを含むリソース５６６についても同様である（即ち、これらは一般に、各サブフレーム内の異なる周波数リソース上にスケジューリングされ得る）。
【００４６】
サブフレームＳＦｎ及びＳＦｎ＋１において、低減ケイパビリティ端末デバイスは、当該低減ケイパビリティ端末デバイスが、全ＰＤＣＣＨ領域５６０と、当該低減ケイパビリティ端末デバイス用の専用ユーザプレーンデータ送信のために確立されたＰＤＳＣＨ送信リソース５６６の限られたサブセットと、をバッファリングする、知られている「Ｔ字型」仮想キャリア動作モードで動作しているものと想定される。デバイスが専用ＰＲＢ５６６をバッファリングしている間、当該デバイスは、システム情報を送信するためにネットワークにより使用される送信リソース５６８をバッファリングすることができない。このことを、専用ＰＲＢを含むＰＤＳＣＨ送信リソース５６６におけるチェック印と、ＳＩＢ  ＰＲＢを含むＰＤＳＣＨリソース５６８におけるばつ印及び陰影付けと、によって図５に概略的に表す。
【００４７】
図５に表される概略的な例では、基地局が、サブフレームＳＦｎ＋１とＳＦｎ＋２との間のシステム情報修正ピリオド境界５６４において、システム情報に変更を加え得ることが想定される。あらゆる所与の実装例におけるシステム情報変更の理由は、この開示の実施形態の動作には重要ではない。
【００４８】
低減ケイパビリティ端末デバイスは、上で論じた従来の様式における従来の端末デバイスについてのものと同じやり方で、基地局からシステム情報変更通知を受信することができる。システム情報を送信するために使用される送信リソース（即ち、図５においてＳＩＢ  ＰＲＢとして識別されるリソース５６８）について端末デバイスに知らせるために、確立された技法を使用することもできる。
【００４９】
しかしながら、低減ケイパビリティ端末デバイスが、より大きなＳＩＢの幾つかを受信できないかもしれないという点において、問題が生じる。さらに、これらの低減ケイパビリティデバイスのカバレージを拡張するために、ＳＩＢにおいてデータの繰り返しが実施され得る。
【００５０】
発明者らは、低減ケイパビリティ端末デバイスにおいて、より大きなＳＩＢの幾つかを受信する種々のメカニズムを特定している。１つのアプローチは、非低減ケイパビリティ端末デバイスについては、ＳＩＢの或るバージョンを送信し、１．４ＭＨｚの帯域幅で及び／又はカバレージ拡張を伴って動作する端末デバイスについては特に、当該ＳＩＢのコピーを送信する、というものである。このことは、非必須情報の排除と、より大きなブロックの削減と、を含み得る。しかしながら、このアプローチを用いても、発明者らは、幾つかの問題を特定している。
【００５１】
第１に、必須ではないと考えることのできる大量の情報は存在しない。このことは、複雑性の低いデバイスが周波数間モビリティをサポートする必要がある場合、特に当てはまる。この特性は、（スマートウォッチといった）ウェアラブル技術の分野において重要であるが、その理由は、最大サイズを有するＳＩＢが、モビリティに関連するためである。第２に、発明者らは、同じ情報を２度ブロードキャストすることが非効率であると考えている。
【００５２】
本開示によると、ＳＩＢといったシステム情報のブロックについてのスケジューリング情報は、SchedulingInfoListによって提供される。これは、いわゆる「ＳＩＢ１」において端末デバイスに送信される。本開示によるＳＩＢ１の構造を示す図を、図６に示す。知られているＳＩＢ１と同様に、本開示によるＳＩＢ１は、固定されたタイムロケーションにおいて端末デバイスに送信される。例において、SystemInformationBlockType1は、８０ｍｓの周期性と、８０ｍｓ以内に行われる繰り返しとを有する、固定されたスケジュールを使用する。SystemInformationBlockType1の最初の送信は、それについてSFN
mod 8=0である無線フレームのサブフレーム＃５においてスケジューリングされ、繰り返しは、それについてSFN
mod 2=0である他の全ての無線フレームのサブフレーム＃５においてスケジューリングされる。当然ながら、あらゆる適切なタイムロケーションが使用されてよい。
【００５３】
本開示によるＳＩＢ１構造のSchedulingInfoListは、他のＳＩＢについてのスケジューリング情報を包含する。例えば、ＳＩＢ２は、共通チャネル（例えばＰＣＣＨ及びＰＲＡＣＨ）構成を送信するために使用される。ＳＩＢ３は、セル再選択構成情報を送信するために使用される。これは、周波数間／周波数内及びＲＡＴ間に共通である（例えば、サービングセル閾値及び適性基準）。ＳＩＢ４は、周波数内再選択に固有の情報を包含する。ＳＩＢ５は、周波数間再選択に固有の情報を包含する。ＳＩＢ６及びＳＩＢ７は、それぞれ、ＵＴＲＡＮセル再選択情報及びＧＥＲＡＮセル再選択情報を包含する。このことは、知られているＳＩＢ構造に類似している。ＳＩＢ１構造の順序は、３ＧＰＰ  ＴＳ  ３６．３３１  セクション６．２．２（SystemInformationBlockType1メッセージ）標準において定義されている。
【００５４】
しかしながら、本開示の実施形態によるＳＩＢ１構造は、低減ケイパビリティ端末デバイス用に設計された、ＳＩＢの形における付加的なスケジューリング情報が、ＳＩＢ１内に含まれているかどうかを示すフラグも含む。図６において、この付加的なＳＩＢは、「ＳＩＢｘ」として識別されており、フラグは、「SIBx present=true」である。認識されるように、図６には明示的なフラグが示されているが、他の例においては、付加的なスケジューリングブロックの存在を示すために、付加的なＳＩＢが含まれていることを示すあらゆるマーカ（フラグ若しくはそれ以外のもの）が、ＳＩＢ１と共にスケジューリング情報内に、例えば、図６の番号付けにおけるn=5に、位置付けられていてよく、又は、既存の若しくは新たに定義されたマスタ情報ブロック（ＭＩＢ）内に別個に含まれていてよい。マーカ及び新たに定義されたスケジューリングは、代替的に、既存のＭＩＢとは別個の、新たに定義されたＭＩＢ内に包含されてもよい。換言すると、ＳＩＢｘの存在を示すマーカは、ＳＩＢ１よりもむしろ、マスタ情報ブロック（ＭＩＢ）内で送信される。すると、端末デバイスは、ＳＩＢ１からスケジューリング情報を受信せず（又は、そうでなければ無視し）、その代わりに、ＳＩＢｘからのスケジューリング情報のみを読み取る。
【００５５】
当然ながら、及び後に解説するように、単一の付加的なＳＩＢのみがフラグにより識別されているが、他の実施形態は、低減ケイパビリティ端末デバイスに固有の２つ以上の付加的なＳＩＢを含んでよい。例えば、低減帯域幅端末デバイスのために、１つの付加的なＳＩＢが提供され得、カバレージ拡張端末デバイスのために、第２の付加的なＳＩＢが提供され得る。他の実施形態は、付加的な１つ以上のＳＩＢの代わりに、又は付加的な１つ以上のＳＩＢに加えて、付加的なスケジューリング情報を包含する、ＳＩＢ１に対する拡張を含んでよい。
【００５６】
したがって、端末デバイスは、本開示の実施形態によるＳＩＢ１構造を受信するときに、フラグ又はそれ以外のものによって識別される付加的なＳＩＢｘの存在をチェックする。端末デバイスが低減ケイパビリティ端末デバイスであるか、又はカバレージ拡張モードで動作している場合、端末デバイスは、低減ケイパビリティ端末デバイスのタイプか、又は現在のカバレージモードに相応しいＳＩＢｘを取り出す。しかしながら、端末デバイスが低減ケイパビリティ端末デバイスではないか、又はカバレージ拡張モードで動作していない場合、端末デバイスは、付加的なＳＩＢを無視し、既に知られているようなＳＩＢの処理を継続する。このことは、本開示の実施形態によるＳＩＢ１が、非ケイパビリティ低減端末デバイス、カバレージ拡張モードで動作するデバイス、及び、レガシーデバイスの全てと互換性を有することを意味する。
【００５７】
端末デバイスがケイパビリティ低減端末デバイスであるか、又はカバレージ拡張モードで動作しており、相応しい付加的なＳＩＢｘを識別している場合、当該端末デバイスは、ＳＩＢｘからSchedulingInfoListを得る。明瞭にするために、付加的なＳＩＢｘのSchedulingInfoListを「SchedulingInfoList_MTC」と呼んでいるが、どのような名称でも相応しいかもしれない。
【００５８】
注記されるように、SchedulingInfoList_MTCは、ＳＩＢ１のエントリn=1からn=4にマッピングするエントリn=1からn=4を包含する。そのため、ＳＩＢ１についてのスケジューリング情報の順序は、このマッピングが生じるＳＩＢｘについてのスケジューリングの順序と同じである。また、SchedulingInfoList_MTCは、ＳＩＢ１内のエントリにマッピングしないエントリn=5からn=7も包含する。ＳＩＢｘの目的は、ＳＩＢ１の種々のエントリ（例えば、図６におけるn=1からn=4）がケイパビリティ低減端末デバイスによって変更されるべきであるかどうか、及びいかに変更されるべきか、についての命令を提供することである。ＳＩＢｘ内のこれらのエントリの各々の内容及び機能について、次に、図６の右手側に位置付けられたＳＩＢｘ構造を参照して解説する。
【００５９】
ＳＩＢｘのエントリn=1は、項「Remove(sibType2)」を包含する。これは、低減ケイパビリティ端末デバイスが、ＳＩＢ１内のエントリn=1からＳＩＢ２を排除するように命じられており、よって、n=1においてシステム情報ブロックが受信されないことを意味する。ＳＩＢｘのエントリn=2は、項「Replace(sibType3)with(sibType3-defaultConfig1)Remove(sibType4)」を包含する。これは、低減ケイパビリティ端末デバイスが、ＳＩＢ１のエントリn=2内のsibType3を置換し、これを、当該低減ケイパビリティデバイス内に記憶されたデフォルト構成に置換することを意味する。このデフォルト構成は、低減ケイパビリティデバイス内に予め記憶され得るか、又は、何らかのメカニズムを使用して、低減ケイパビリティデバイスに転送され得る。さらに、低減ケイパビリティ端末デバイスは、ＳＩＢ１内のエントリn=2からＳＩＢ４を（受信しないことにより）排除する。
【００６０】
ＳＩＢｘのエントリn=3は、項「Reuse(sibType5)」を包含する。これは、低減ケイパビリティ端末デバイスが、ＳＩＢ５の内容を使用するように命じられていることを意味する。このことは、明示的な標識を使用することにより、又は、例えば、SchedulingInfoList_MTC内のエントリn=3を省略する（空の状態にする）ことにより、行われ得る。ＳＩＢｘのエントリn=4は、項「Remove(sibType6, sibType7)」を包含する。これは、低減ケイパビリティ端末デバイスが、ＳＩＢ１内のエントリn=4からＳＩＢ６及びＳＩＢ７を排除し（即ち、受信せず）、それらの受信を試みないことを意味する。
【００６１】
ＳＩＢｘのエントリn=5からn=7は、ＳＩＢ１にマッピングしない。エントリn=5からn=7内においては、エントリn=1からn=4より排除された置換ＳＩＢについての、又は、いずれかの新規の（付加的な）ＳＩＢについての、スケジューリングが含まれる。具体的には、図６の例において、ＳＩＢｘのエントリn=5は、ＳＩＢ４が３２個の無線フレームの周期性で送信されることを表明している。換言すると、ＳＩＢ１のエントリn=2と比較すると、ＳＩＢｘ内のＳＩＢ４は、ＳＩＢ３と組み合わされることなく単独で送信される。モビリティ関連のシステム情報（例えばＳＩＢ４及びＳＩＢ５）のいずれかの置換物を送信することにより、他のデバイスについてスケジューリングされたＳＩＢに比べ、シグナリングされる隣接物の数を減少させることができ、結果的に、システム情報ブロックの、より小さなサイズを生じる。
【００６２】
ＳＩＢｘのエントリn=6及びn=7は、ＳＩＢ２が２つの部分、即ち、セグメント１及びセグメント２（図６のsegl及びseg2）に効果的に分割されることを表明している。これらのセグメントの各々は、３２個の無線フレームの周期性を有する。
【００６３】
ＳＩＢ（このケースではＳＩＢ２）のこの分割は、デバイスが、セルの縁部上に存在するか、又は地下に存在する（即ち、いわゆるカバレージ拡張モードで動作している）といった、弱い信号エリアに位置付けられている例において、特に有用である。典型的に、これらのデバイスは、完全なＳＩＢを受信するために、ＳＩＢが多くの回数にわたって送信されることを求める。ＳＩＢをセグメントに分割することにより、セグメントが一旦受信されると、当該セグメントが再送信される必要のないことを意味する。これにより、ネットワークリソースと、端末デバイス内のバッテリ寿命とが節約される。
【００６４】
この付加的なＳＩＢ及びＳＩＢｘを使用することにより、低減ケイパビリティ端末デバイスは、それ自体に関連するＳＩＢの使用及び取出しのみを行うことが可能になる。これにより、端末デバイス内のバッテリ寿命が節約される。同様に、幾つかの例では、低減ケイパビリティ端末デバイスがＳＩＢを受信することが不可能である。このケースでは、ＳＩＢが多くのセグメントに分割されて取り出され得、又は、デフォルト構成に単に置換され得る。
【００６５】
図７は、ＳＩＢ１及びＳＩＢｘにおいて詳述される、ＳＩＢの各々の相対的スケジューリングを経時的に示す。このことは、図６のＳＩＢ１及びＳＩＢｘにおいて与えられたリスト位置及び周期性を使用して提示される。認識されるように、図７は、単に例示的なものに過ぎない。エントリn=1（ＳＩＢ２）は、１６個の無線フレーム毎に繰り返され、エントリn=2（ＳＩＢ３、ＳＩＢ４）は、３２個の無線フレーム毎に繰り返され、エントリn=3（ＳＩＢ５）は、６４個の無線フレーム毎に繰り返され、エントリn=4（ＳＩＢ６、ＳＩＢ７）は、１２８個の無線フレーム毎に繰り返され、エントリn=5からn=7は、３２個の無線フレーム毎に繰り返される。
【００６６】
次に、３つの異なるタイプの端末デバイスと、各々がＳＩＢにおいて提供された情報をいかに使用してどの情報を復号すべきかを判定し得るかと、の一例を提示する。第１のタイプはスマートフォンであり、第２のタイプはスマートウォッチであり、第３のタイプは地下のパワーメータである。これらの端末デバイスの各々は、異なるケイパビリティ及び要件を有する。
【００６７】
スマートフォンがＬＴＥカテゴリ１、ＵＭＴＳ、及びＧＳＭをサポートするものと想定されたい。また、スマートウォッチが、ＵＭＴＳ又はＧＳＭをサポートしないものの、ＬＴＥでモビリティをサポートしなければならない狭帯域ＬＴＥデバイス（Ｒｅｌ−１３カテゴリ）であるものと想定されたい。最後に、スマートメータが、システム情報を含めたＬＴＥデータを受信するためにカバレージ拡張もサポートするカテゴリ０（Ｒｅｌ−１２）又は狭帯域（Ｒｅｌ−１３）いずれかのデバイスであるものと想定されたい。スマートメータは、静止したデバイスであり、そのため、モビリティをサポートする必要はない。
【００６８】
レガシー端末デバイスは、n=1, 2, 3, 4においてのみ、ＳＩＢを受信する。その理由は、レガシー端末デバイスが、ＲＦ帯域幅又はカバレージのいずれかに対する制限を有さないためである。そのため、情報のセグメント化又は低減化が必要とされない。
【００６９】
スマートウォッチデバイスは、狭帯域ＲＦを有するため、ＳＩＢｘ内に与えられる情報に従わなければならない。図８に、スマートウォッチにおいて受信されたＳＩＢを示す。
【００７０】
スマートウォッチが狭帯域ＲＦであるため、（n=1における）ＳＩＢ２が大きすぎ、７個以上の物理リソースブロックにわたって広がる可能性がある。また、ＳＩＢ２が、カバレージ拡張のための繰り返しをサポートするためにセグメント化するには大きすぎるものの、スマートウォッチによる受信のためにセグメント化される可能性もある。したがって、n=1におけるＳＩＢ２は、スマートウォッチ又はスマートメータのいずれかにより受信されないものの、その代わりに、２個のセグメントにおいて受信され、n=6及びn=7において提供される。これらのセグメントをn=6及びn=7において提供することにより、これらのセグメントは、スマートフォン又はレガシーデバイスにより受信されない。その理由は、これらのデバイスがn=1からn=4しか認識しないためである。
【００７１】
n=2においてＳＩＢ３及びＳＩＢ４を含むことは、ＳＩＢ３及びＳＩＢ４が、やはり、スマートウォッチ又はスマートメータのいずれかによって受信されるには大きすぎることを意味する。一方、ＳＩＢ５は、６個の物理リソースブロックにとって大きすぎず、よって、スマートウォッチによる受信が可能である。しかしながら、ＳＩＢ５は、モビリティの特性である周波数間再選択パラメータに関連しているため、これは、スマートメータによって必要とされず、カバレージ拡張モードのための繰り返しを使用して送信されることが求められない。したがって、ＳＩＢ５は、スマートウォッチによってのみ受信されればよい。
【００７２】
n=4におけるＳＩＢ６及びＳＩＢ７は、やはり、６個の物理リソースブロックにわたって広がるには大きすぎるため、スマートウォッチ又はスマートメータのいずれかによって受信され得ない。いずれの場合においても、ＳＩＢ６及びＳＩＢ７がそれぞれ、ＵＴＲＡＮセル再選択及びＧＥＲＡＮセル再選択に関連しているため、スマートウォッチもスマートメータも、この情報を必要としないが、その理由は、それらがＬＴＥのみをサポートするためである。したがって、ＳＩＢ６及びＳＩＢ７は、スマートウォッチ又はスマートメータのいずれかによって受信されない（ＳＩＢ６及びＳＩＢ７が「排除されている」、ＳＩＢｘ内のn=4を参照されたい）。
【００７３】
次に、スマートウォッチにより受信されるＳＩＢを示す図８に、特に注目されたい。n=1においてＳＩＢｘにより示されるように、ＳＩＢ２は受信されないが、その理由は、ＳＩＢ２が２個のセクションにセグメント化されており、代わりにn=6及びn=7において提供されているためである。
【００７４】
n=2において、スマートウォッチは、ＳＩＢ３又はＳＩＢ４を受信しない。むしろn=2は、スマートウォッチに、ＳＩＢ３の内容を、予め定義された共通チャネル構成であり得るデフォルト構成に置換するように告げ、この、予め定義された共通構成は、仕様において定義され得るか、スマートウォッチのＳＩＭ機能において定義され得るか、又は、例えば専用シグナリングを使用して予め確立され得るか、若しくは、オペレータ固有の構成に従って製造時にハードコーディングされ得るか、のいずれかである。これは、例えば、固定された、低減ケイパビリティ端末デバイス固有のＰＲＡＣＨリソースを包含し得る。加えて、ＳＩＢｘ内のn=2において、ＳＩＢ４は、n=5において単独で送信されるときに読み取られる。ＳＩＢ４がＳＩＢ３と組み合わされないため、ＳＩＢ４は、６個未満の物理リソースブロックを使用して送信されることが可能である。ここで注記されるべき点は、（n=5において送信されるときの）ＳＩＢ４の内容が、n=2において送信されるＳＩＢ４とは異なり得る点である。その理由は、（スマートフォンといった）レガシーデバイスが、n=5を受信せず、スマートウォッチの周波数間リストよりも大きな周波数間リストを必要とし得るためである。したがって、n=5がスマートウォッチによってのみ受信されることを知得することにより、ＳＩＢ情報をスマートウォッチ用に特化させることができる。このことは、ネットワークリソースを減少させ、スマートウォッチのバッテリ寿命を延長させる。このことは、何らかのレベルのカバレージ拡張をサポートするために繰り返しを実施する可能性も提供し、この何らかのレベルのカバレージ拡張は、ケイパビリティの低減なくデバイスとして同様の性能要件を満たすために、低減ケイパビリティデバイスによって必要とされ得る。これは、例えば、受信アンテナを１本しか有していないデバイスを補償するための３ｄＢのカバレージ拡張であり得る。
【００７５】
n=3において、ＳＩＢ１のSchedulingInfoListからのＳＩＢ５が再利用される。その理由は、ＳＩＢ５がスマートウォッチにより必要とされており、６個の物理リソースブロック内にも収まるためである。
【００７６】
付加的な繰り返しを用いてＳＩＢ５を送信することが可能である。このことは、やはり繰り返しを必要とするスマートウォッチの使用をサポートする。このケースにおいて、ＳＩＢ５は、同じ位置において依然としてスケジューリングされるが、幾つかの付加的な繰り返しを伴う。n=3がレガシーデバイスによって受信されるため、ＳＩＢ５の繰り返しの提供は、レガシーデバイスのカバレージ拡張のために、考え得るさらなるサポートが存在することを意味する。
【００７７】
加えて、スマートメータに関し、ＳＩＢ５は必要とされないが、その理由は、静止したスマートメータによってモビリティ情報が使用されないためである。したがって、スマートメータは、n=5, 6, 7においてＳＩＢｘ内に包含される情報を読み取りさえすればよい。このことは、カバレージ拡張をサポートするために、新規のＳＩＢのみが付加的な繰り返しを伴って送信される必要がある一方で、既存のＳＩＢが影響を受けないまま、繰り返しを必要としない、という利点を有する。
【００７８】
先述の内容は、ＳＩＢｘが、ＳＩＢ１内で参照されるＳＩＢのスケジューリング情報に関する命令を含み得ることを示してきたが、本開示はそのように限定されない。具体的には、ＳＩＢｘは、端末デバイスに対し、ＳＩＢ１内に位置付けられている全てのスケジューリング情報を無視するように告げる命令を含み得る。すると、ＳＩＢｘ内のスケジューリング情報は、代わりに、新たに定義されるＳＩＢタイプ（即ち、ＳＩＢ１内に位置付けられていないＳＩＢタイプ）の配信に関連するスケジューリング情報を、端末デバイスに提供し得る。換言すると、ＳＩＢｘ内のスケジューリング情報が、ＳＩＢ１内で言及されるＳＩＢのスケジューリングに関連することが可能であるが、本開示はそのように限定されず、ＳＩＢｘ内のスケジューリング情報は、ＳＩＢ１内で言及されていないＳＩＢのスケジューリングに関連してよい。
【００７９】
図９は、本開示の一実施形態による電気通信システム６００を概略的示す。この例における電気通信システム６００は、上で論じたものといった仮想キャリア動作をサポートするＬＴＥタイプのアーキテクチャに、大まかには基づいている。電気通信システム６００の動作の多くの態様が、知られており且つ理解されており、ここでは簡潔にするために詳細には説明しない。ここで具体的には説明しない電気通信システム６００の動作上の態様は、知られているあらゆる技法に従って、例えば、それらの内容全体がここに引用により組み込まれる、ＧＢ  ２  ４８７  ９０６［２］、ＧＢ  ２  ４８７  ９０８［３］、ＧＢ  ２  ４８７  ７８０［４］、ＧＢ  ２  ４８８  ６１３［５］、ＧＢ  ２  ４８７  ７５７［６］、ＧＢ  ２  ４８７  ９０９［７］、ＧＢ  ２  ４８７  ９０７［８］、ＧＢ  ２  ４８７  ７８２［９］、ＧＢ  ２  ４９７  ７４３［１０］、及びＧＢ  ２  ４９７  ７４２［１１］に開示されるものといった仮想キャリア動作を組み込むために適宜修正を伴った現在のＬＴＥ標準に従って、実装されてよい。
【００８０】
電気通信システム６００は、無線ネットワーク部分に結合されたコアネットワーク部分（発展型パケットコア）６０２を含む。無線ネットワーク部分は、複数の端末デバイスに結合された基地局（発展型ｎｏｄｅＢ）６０４を含む。この例では、２個の端末デバイス、即ち、第１の端末デバイス６０６及び第２の端末デバイス６０８が示されている。当然ながら、実際には、無線ネットワーク部分が、種々の通信セル全体において、より多くの数の端末デバイスにサービスする複数の基地局を含み得る旨が認識されるであろう。しかしながら、図９には、簡単にするために、単一の基地局及び２個の端末デバイスしか示されていない。
【００８１】
従来のモバイル無線ネットワークと同様に、端末デバイス６０６及び６０８は、基地局（送受信局）６０４に及び基地局（送受信局）６０４から、データを通信するように配置される。基地局は、次いで、基地局６０４を介して電気通信システム６００内の端末デバイスにモバイル通信サービスのルーティング及び管理を実施するように配置されるコアネットワーク部分内のサービングゲートウェイ（Ｓ−ＧＷ）（図示せず）に、通信可能に接続される。モビリティ管理及び接続性を維持するために、コアネットワーク部分６０２は、ホーム加入者サーバ（ＨＳＳ）に記憶される加入者情報に基づいて通信システム内で動作する端末デバイス６０６及び６０８との拡張パケットサービス（ＥＰＳ）接続を管理するモビリティ管理エンティティ（図示せず）も含む。コアネットワーク内の他のネットワークコンポーネント（簡単にするため、やはり図示せず）には、ポリシー課金リソース機能（ＰＣＲＦ）と、コアネットワーク部分６０２から外部パケットデータネットワーク、例えばインターネットへの接続を提供するパケットデータネットワークゲートウェイ（ＰＤＮ−ＧＷ）と、が含まれる。上で注記したように、図９に示される通信システム６００の種々の要素の動作は、ここで論じられるような本開示の実施形態に従って機能性を提供するために修正される場合を除き、例えば、確立された電気通信標準と、ここに言及される参考文献に詳述される原理とに従って、大まかには従来通りであり得る。
【００８２】
この例では、第１の端末デバイス６０６が、従来の様式で基地局６０４と通信する従来のスマートフォンタイプの端末デバイスであるものと想定される。この従来の端末デバイス６０６は、ワイヤレス信号の送信及び受信のための送受信機ユニット６０６ａと、デバイス６０６を制御するように構成されるプロセッサユニット（コントローラユニット）６０６ｂと、を含む。プロセッサユニット６０６ｂは、ワイヤレス電気通信システム内の機器のために、従来のプログラミング／構成の技法を使用して、所望の機能性を提供するように適切に構成された／プログラミングされたプロセッサユニットを含み得る。図９では、送受信機ユニット６０６ａ及びプロセッサユニット６０６ｂが別個の要素として概略的に示されている。しかしながら、これらのユニットの機能性が、種々の異なるやり方で、例えば、単一の適切にプログラミングされた汎用コンピュータ、又は、適切に構成された特定用途向け集積回路／回路素子を使用して、提供されることが可能である旨が認識されるであろう。認識されるように、従来の端末デバイス６０６は一般に、その動作の機能性に関連付けられる種々の他の要素を含む。
【００８３】
この例では、第２の端末デバイス６０８が、基地局６０４と通信するときに、本開示の実施形態に従って仮想キャリア（ＶＣ）モードで動作するように適合されるマシンタイプ通信（ＭＴＣ）端末デバイス６０４であるものと想定される。上で論じたように、マシンタイプ通信端末デバイスは、幾つかのケースにおいて、典型的には、少量のデータを通信する半自律又は自律のワイヤレス通信デバイスとして特徴付けられ得る。例には、例えば、顧客の家に位置付けられて、顧客によるガス、水道、電気などといったユーティリティの消費に関するデータについての情報を中央ＭＴＣサーバに定期的に返信し得る、いわゆるスマートメータが含まれる。ＭＴＣデバイスは、幾つかの点において、例えばレイテンシーの観点において相対的に低いサービス品質（ＱｏＳ）を有する相対的に低帯域幅の通信チャネルによってサポートされることが可能なデバイスとみなされ得る。ここでは、図９のＭＴＣ端末デバイス６０８が、このようなデバイスであるものと想定される。
【００８４】
ＭＴＣデバイス６０８は、ワイヤレス信号の送信及び受信のための送受信機ユニット６０８ａと、ＭＴＣデバイス６０８を制御するように構成されるプロセッサユニット（コントローラユニット）６０８ｂと、を含む。プロセッサユニット６０８ｂは、ここでさらに解説されるように、本開示の幾つかの実施形態に従って機能性を提供するための種々のサブユニットを含み得る。これらのサブユニットは、単体のハードウェア要素として、又は、プロセッサユニットの、適正に構成された機能として、実装され得る。よって、プロセッサユニット６０８ｂは、ワイヤレス電気通信システム内の機器のために、従来のプログラミング／構成の技法を使用して、ここに記載される所望の機能性を提供するように適切に構成された／プログラミングされたプロセッサを含み得る。図９において、送受信機ユニット６０８ａ及びプロセッサユニット６０８ｂは、表現を容易にするために、別個の要素として概略的に示されている。しかしながら、これらのユニットの機能性が、種々の異なるやり方で、例えば、単一の適切にプログラミングされた汎用コンピュータ、若しくは、適切に構成された特定用途向け集積回路／回路素子を使用して、又は、所望の機能性の異なる要素を提供するための複数の単体の回路素子／処理要素を使用して、提供されることが可能である旨が認識されるであろう。ＭＴＣデバイス６０８が一般に、確立されたワイヤレス電気通信技法に従って、その動作の機能性に関連付けられる種々の他の要素を含むことが認識されるであろう。
【００８５】
基地局６０４は、ワイヤレス信号の送信及び受信のための送受信機ユニット６０４ａと、ここで記載されるように、本開示の実施形態に従って動作するよう基地局６０４を制御するように構成されるプロセッサユニット（コントローラユニット）６０４ｂと、を含む。プロセッサユニット６０６ｂは、以下にさらに解説されるように、本開示の実施形態に従って機能性を提供するための種々のサブユニットも含み得る。これらのサブユニットは、単体のハードウェア要素として、又は、プロセッサユニットの、適正に構成された機能として、実装され得る。よって、プロセッサユニット６０４ｂは、ワイヤレス電気通信システム内の機器のために、従来のプログラミング／構成の技法を使用して、ここに記載される所望の機能性を提供するように適切に構成された／プログラミングされたプロセッサを含み得る。図９において、送受信機ユニット６０４ａ及びプロセッサユニット６０４ｂは、表現を容易にするために、別個の要素として概略的に示されている。しかしながら、これらのユニットの機能性が、種々の異なるやり方で、例えば、単一の適切にプログラミングされた汎用コンピュータ、若しくは、適切に構成された特定用途向け集積回路／回路素子を使用して、又は、所望の機能性の異なる要素を提供するための複数の単体の回路素子／処理要素を使用して、提供されることが可能である旨が認識されるであろう。基地局６０４が一般に、確立されたワイヤレス電気通信技法に従って、その動作の機能性に関連付けられる種々の他の要素を含むことが認識されるであろう。
【００８６】
よって、基地局６０４は、それぞれの通信リンク６１０及び６１２を通じて、従来の端末デバイス６０６及びこの開示の一実施形態による端末デバイス６０８の両方とデータを通信するように構成される。基地局６０４と従来の端末デバイス６０６との間の通信のための通信リンク６１０は、（例えば、図４に概略的に表される送信リソースの全範囲を潜在的に利用する）ホストキャリアによりサポートされる。基地局６０４と低減ケイパビリティＭＴＣ端末デバイス６０８との間の通信のための通信リンク６１２は、（例えば、図４に概略的に表される仮想キャリアといった、周波数リソースの限られたサブセット内のリソースを利用する）仮想キャリアによりサポートされる。ＭＴＣ端末デバイス６０８と基地局６０４との間の通信は、一般に、この開示の或る実施形態に従って機能性を提供するために、ここに記載されるような修正を伴った、仮想キャリア動作のための以前に提案されたスキームのいずれかに基づき得る。例えば、ＭＴＣ端末デバイス６０８は、当該端末デバイス６０８にアドレス指定される、基地局６０４からの全ての制御プレーンシグナリング及びユーザプレーンシグナリングが、端末デバイス６０８のために提供される仮想キャリアに割り当てられた周波数リソース（ＯＦＤＭキャリア）のサブセット内で行われるように動作し得る。代替的に、端末デバイス６０８にアドレス指定される、基地局６０４からの制御プレーンシグナリングは、図４に表される制御領域３００の全帯域幅内で行われ得、上位レイヤデータ（ユーザプレーンデータ）は、端末デバイス６０８のために提供された仮想キャリアに割り当てられた限られた周波数リソース（ＯＦＤＭキャリア）内で通信される。
【００８７】
最後に、先述の内容は、端末デバイスを、ウェアラブルデバイスとしてのスマートウォッチとして説明してきたが、あらゆるタイプのウェアラブルデバイスが構想される。例えば、本原理に従い、ウェアラブルデバイスは、スマートグラス又はフィットネスバンドであってよい。さらに、デバイスは、車、バン、又は船といった車両に位置付けられてよい。
【００８８】
本開示の実施形態は、番号を付けた以下の段落によって例示することが可能である。
【００８９】
１．  ワイヤレス電気通信システムにおいて端末デバイスを動作させる方法であって、前記端末デバイスにおいて、システム情報の複数のブロックの少なくとも１つを所定の時間において受信することを含み、システム情報の前記ブロックは、ｉ）システム情報の少なくとも１つの付加的なブロックのタイミングに関する第１のスケジューリング情報と、ｉｉ）第２のスケジューリング情報の存在を示すマーカと、を含み、前記第２のスケジューリング情報は、システム情報の少なくとも１つのさらなるブロックの受信に関する命令を前記端末デバイスに提供する、方法。
【００９０】
２．  前記命令が、システム情報の１つ以上の付加的なブロックの受信を無視することを含む、段落１に記載の方法。
【００９１】
３．  前記命令が、前記スケジューリング情報内に示される前記時間において、システム情報の１つ以上のブロックを受信する命令を含む、段落１又は２に記載の方法。
【００９２】
４．  前記命令が、前記スケジューリング情報内に示される時間とは異なる時間において、システム情報の１つ以上のブロックを受信する命令を含む、段落１、２、又は３に記載の方法。
【００９３】
５．  前記命令が、第１の時間においてはシステム情報の１つのブロックの一部分を、第２の時間においてはシステム情報の前記１つのブロックの第２の部分を、受信する命令を含む、段落１から４のいずれかに記載の方法。
【００９４】
６．  システム情報の１つのブロックの前記部分を繰り返すことを含む、段落５に記載の方法。
【００９５】
７．  前記命令が、システム情報の１つのブロックの少なくとも一部分を、予め定義されたデフォルト情報に置換する命令を含む、段落１から６のいずれかに記載の方法。
【００９６】
８．  前記第１のスケジューリング情報の順序が、前記第２のスケジューリング情報の順序と同じである、段落１から７のいずれかに記載の方法。
【００９７】
９．  前記マーカがさらに、端末デバイスのタイプを示し、前記端末デバイスが、前記示されたタイプのものである場合に、前記端末デバイスが前記第２のスケジューリング情報を使用する、段落１から８のいずれかに記載の方法。
【００９８】
１０．  前記第１のスケジューリング情報の順序が、前記第２のスケジューリング情報の順序と同じであり、前記第２のスケジューリング情報が、そのタイプの端末デバイスによって使用可能なシステム情報のさらなるブロックに関するスケジューリング情報を含む、段落９に記載の方法。
【００９９】
１１．  システム情報の前記少なくとも１つのさらなるブロックが、システム情報の前記付加的なブロックの少なくとも１つを含む、段落１から１０のいずれかに記載の方法。
【０１００】
１２．  マスタ情報ブロック、並びに、第１のシステム情報ブロック及び第２のシステム情報ブロックを送信するワイヤレス電気通信システムにおいて、端末デバイスを動作させる方法であって、前記第１及び第２のシステム情報ブロックは、システム情報の少なくとも１つの付加的なブロックのタイミングに関する第１のスケジューリング情報及び第２のスケジューリング情報をそれぞれ含み、前記方法は、前記第１のスケジューリング情報を無視して前記第２のスケジューリング情報のみを受信するように前記端末デバイスに命じるマーカを含むシステム情報の前記マスタ情報ブロックを、前記端末デバイスにおいて受信することを含む、方法。
【０１０１】
１３．  システム情報の少なくとも１つの付加的なブロックのタイミングに関するスケジューリング情報を含むマスタ情報ブロックを送信するワイヤレス電気通信システムにおいて、端末デバイスを動作させる方法
【０１０２】
１４．  ワイヤレス電気通信システムにおいて使用するための端末デバイスであって、前記端末デバイスは、送受信機ユニット及び制御ユニットを含み、前記制御ユニットは、システム情報のブロックを所定の時間において受信するよう送受信機を制御するように構成され、システム情報の前記ブロックは、ｉ）システム情報の少なくとも１つのブロックのタイミングに関する第１のスケジューリング情報と、ｉｉ）第２のスケジューリング情報の存在を示すマーカと、を含み、前記第２のスケジューリング情報は、システム情報の少なくとも１つのさらなるブロックの受信に関する命令を前記端末デバイスに提供する、端末デバイス。
【０１０３】
１５．  前記命令が、システム情報の１つ以上のさらなるブロックの受信を無視することを含む、段落１４に記載の端末デバイス、
【０１０４】
１６．  前記命令が、前記スケジューリング情報内に示される前記時間において、システム情報の１つ以上のブロックを受信する命令を含む、段落１４又は１５に記載の端末デバイス。
【０１０５】
１７．  前記命令が、前記スケジューリング情報内に示される時間とは異なる時間において、システム情報の１つ以上のブロックを受信する命令を含む、段落１４、１５、又は１６に記載の端末デバイス。
【０１０６】
１８．  前記命令が、第１の時間においてはシステム情報の１つのブロックの一部分を、第２の時間においてはシステム情報の前記１つのブロックの第２の部分を、受信する命令を含む、段落１４から１７に記載の端末デバイス。
【０１０７】
１９．  システム情報の１つのブロックの前記部分を繰り返すことを含む、段落１８に記載の端末デバイス。
【０１０８】
２０．  前記命令が、システム情報の１つのブロックの少なくとも一部分を、予め定義されたデフォルト情報に置換する命令を含む、段落１４から１９に記載の端末デバイス。
【０１０９】
２１．  前記第１のスケジューリング情報の順序が、前記第２のスケジューリング情報の順序と同じである、段落１４から１９に記載の端末デバイス。
【０１１０】
２２．  前記マーカがさらに、端末デバイスのタイプを示し、前記端末デバイスが、前記示されたタイプのものである場合に、前記端末デバイスが前記第２のスケジューリング情報を使用する、段落１４から１９に記載の方法。
【０１１１】
２３．  前記第１のスケジューリング情報の順序が、前記第２のスケジューリング情報の順序と同じであり、前記第２のスケジューリング情報が、そのタイプの端末デバイスによって使用可能なシステム情報のさらなるブロックに関するスケジューリング情報を含む、段落２２に記載の端末デバイス。
【０１１２】
２４．  システム情報の前記少なくとも１つのさらなるブロックが、システム情報の付加的なブロックの少なくとも１つを含む、段落１４から２３に記載の端末デバイス。
【０１１３】
２５．  マスタ情報ブロック、並びに、第１のシステム情報ブロック及び第２のシステム情報ブロックを送信するワイヤレス電気通信システムにおいて、使用するための端末デバイスであって、前記第１及び第２のシステム情報ブロックは、システム情報の少なくとも１つの付加的なブロックのタイミングに関する第１のスケジューリング情報及び第２のスケジューリング情報をそれぞれ含み、前記端末デバイスは、コントローラユニット及び送受信機ユニットを含み、それにより、前記コントローラユニットは、マーカを含むシステム情報の前記マスタ情報ブロックを受信するよう前記送受信機ユニットを制御するように構成され、前記マーカの存在下において、前記コントローラユニットは、前記第１のスケジューリング情報を無視して前記第２のスケジューリング情報のみを受信するよう送受信機を制御するように構成される、端末デバイス
【０１１４】
２６．  システム情報の少なくとも１つの付加的なブロックのタイミングに関するスケジューリング情報を含むマスタ情報ブロックを送信するワイヤレス電気通信システムにおいて、使用するための端末デバイスであって、前記端末デバイスは、前記マスタ情報ブロックを受信するように構成される送受信機と、前記マスタ情報ブロックから前記スケジューリング情報を抽出するように構成されるコントローラユニットと、を含む、端末デバイス。
【０１１５】
２７．  ワイヤレス電気通信システムにおいて基地局を動作させる方法であって、端末デバイスに、システム情報の複数のブロックの少なくとも１つを所定の時間において送信することを含み、システム情報の前記ブロックは、ｉ）システム情報の少なくとも１つの付加的なブロックのタイミングに関する第１のスケジューリング情報と、ｉｉ）第２のスケジューリング情報の存在を示すマーカと、を含み、前記第２のスケジューリング情報は、システム情報の少なくとも１つのさらなるブロックの受信に関する命令を前記端末デバイスに提供する、方法。
【０１１６】
２８．  前記命令が、システム情報の１つ以上の付加的なブロックの受信を無視することを含む、段落２７に記載の方法、
【０１１７】
２９．  前記命令が、前記スケジューリング情報内に示される前記時間において、システム情報の１つ以上のブロックを受信する命令を含む、段落２７又は２８に記載の方法。
【０１１８】
３０．  前記命令が、前記スケジューリング情報内に示される時間とは異なる時間において、システム情報の１つ以上のブロックを受信する命令を含む、段落２７から２９に記載の方法。
【０１１９】
３１．  前記命令が、第１の時間においてはシステム情報の１つのブロックの一部分を、第２の時間においてはシステム情報の前記１つのブロックの第２の部分を、受信する命令を含む、段落２７から３０に記載の方法。
【０１２０】
３２．  システム情報の１つのブロックの前記部分を繰り返すことを含む、段落３１に記載の方法。
【０１２１】
３３．  前記命令が、システム情報の１つのブロックの少なくとも一部分を、予め定義されたデフォルト情報に置換する命令を含む、段落２７から３２に記載の方法。
【０１２２】
３４．  前記第１のスケジューリング情報の順序が、前記第２のスケジューリング情報の順序と同じである、段落２７から３３に記載の方法。
【０１２３】
３５．  前記マーカがさらに、端末デバイスのタイプを示し、前記端末デバイスが、前記示されたタイプのものである場合に、前記端末デバイスが前記第２のスケジューリング情報を使用する、段落２７から３４に記載の方法。
【０１２４】
３６．  前記第１のスケジューリング情報の順序が、前記第２のスケジューリング情報の順序と同じであり、前記第２のスケジューリング情報が、そのタイプの端末デバイスによって使用可能なシステム情報のさらなるブロックに関するスケジューリング情報を含む、段落３５に記載の方法。
【０１２５】
３７．  システム情報の前記少なくとも１つのさらなるブロックが、システム情報の前記付加的なブロックの少なくとも１つを含む、段落２７から３６に記載の方法。
【０１２６】
３８．  マスタ情報ブロック、並びに、第１のシステム情報ブロック及び第２のシステム情報ブロックを送信するワイヤレス電気通信システムにおいて、基地局を動作させる方法であって、前記第１及び第２のシステム情報ブロックは、システム情報の少なくとも１つの付加的なブロックのタイミングに関する第１のスケジューリング情報及び第２のスケジューリング情報をそれぞれ含み、前記方法は、前記第１のスケジューリング情報を無視して前記第２のスケジューリング情報のみを受信するように前記端末デバイスに命じるマーカを含むシステム情報の前記マスタ情報ブロックを、前記端末デバイスに送信することを含む、方法。
【０１２７】
３９．  システム情報の少なくとも１つの付加的なブロックのタイミングに関するスケジューリング情報を含むマスタ情報ブロックを送信するワイヤレス電気通信システムにおいて、基地局を動作させる方法。
【０１２８】
４０．  ワイヤレス電気通信システムにおいて使用するための基地局であって、前記基地局は、送受信機ユニット及び制御ユニットを含み、前記制御ユニットは、システム情報の複数のブロックの少なくとも１つを所定の時間において端末デバイスに送信するよう送受信機を制御するように構成され、システム情報の前記ブロックは、ｉ）システム情報の少なくとも１つの付加的なブロックのタイミングに関する第１のスケジューリング情報と、ｉｉ）第２のスケジューリング情報の存在を示すマーカと、を含み、前記第２のスケジューリング情報は、システム情報の少なくとも１つのさらなるブロックの受信に関する命令を前記端末デバイスに提供する、基地局。
【０１２９】
４１．  ワイヤレス電気通信システムにおいて使用するための基地局であって、前記基地局は、送受信機ユニット及び制御ユニットを含み、前記制御ユニットは、マスタ情報ブロック、並びに、第１のシステム情報ブロック及び第２のシステム情報ブロックを端末デバイスに送信するよう送受信機を制御するように構成され、前記第１及び第２のシステム情報ブロックは、システム情報の少なくとも１つの付加的なブロックのタイミングに関する第１のスケジューリング情報及び第２のスケジューリング情報をそれぞれ含み、前記制御ユニットはさらに、前記第１のスケジューリング情報を無視して前記第２のスケジューリング情報のみを受信するように前記端末デバイスに命じるマーカを含むシステム情報の前記マスタ情報ブロックを、前記端末デバイスに送信するように構成される、基地局。
【０１３０】
４２．  ワイヤレス電気通信システムにおいて使用するための基地局であって、前記基地局は、送受信機ユニット及び制御ユニットを含み、前記制御ユニットは、システム情報の少なくとも１つの付加的なブロックのタイミングに関するスケジューリング情報を含むマスタ情報ブロックを、端末デバイスに送信するよう送受信機を制御するように構成される、基地局。
【０１３１】
４３．  請求項４０から４２のいずれか一項に記載の基地局と、端末デバイスと、を含むワイヤレス電気通信システム。
【０１３２】
引例
［１］ＥＴＳＩ  ＴＳ  １２２  ３６８  Ｖ１１．６．０（２０１２−０９）／３ＧＰＰ  ＴＳ  ２２．３６８  バージョン１１．６．０  リリース１１）
［２］ＧＢ  ２  ４８７  ９０６（英国特許出願ＧＢ  １１０１９７０．０）
［３］ＧＢ  ２  ４８７  ９０８（英国特許出願ＧＢ  １１０１９８１．７）
［４］ＧＢ  ２  ４８７  ７８０（英国特許出願ＧＢ  １１０１９６６．８）
［５］ＧＢ  ２  ４８８  ５１３（英国特許出願ＧＢ  １１０１９８３．３）
［６］ＧＢ  ２  ４８７  ７５７（英国特許出願ＧＢ  １１０１８５３．８）
［７］ＧＢ  ２  ４８７  ９０９（英国特許出願ＧＢ  １１０１９８２．５）
［８］ＧＢ  ２  ４８７  ９０７（英国特許出願ＧＢ  １１０１９８０．９）
［９］ＧＢ  ２  ４８７  ７８２（英国特許出願ＧＢ  １１０１９７２．６）
［１０］ＧＢ  ２  ４９７  ７４３（英国特許出願ＧＢ  １１２１７６７．６）
［１１］ＧＢ  ２  ４９７  ７４２（英国特許出願ＧＢ  １１２１７６６．８）
［１２］Holma H. and Toskala A, "LTE for UMTS
OFDMA and SC-FDMA based radio access", John Wiley and Sons, 2009
［１３］ＥＴＳＩ  ＴＳ  １３６  ３３１  Ｖ１１．４．０（２０１３−０７）／３ＧＰＰ  ＴＳ  ３６．３３１  バージョン１１．４．０  リリース  １１
【図１】
0006767376.tif 000002
【図２】
0006767376.tif 000003
【図３】
0006767376.tif 000004
【図４】
0006767376.tif 000005
【図５】
0006767376.tif 000006
【図６】
0006767376.tif 000007
【図７】
0006767376.tif 000008
【図８】
0006767376.tif 000009
【図９】
0006767376.tif 000010